(57)【要約】【課題】重要な回路動作に関わる電極ピンが不正器具により直接アクセスされるのを防止する。【解決手段】基板側コネクタ３００は、絶縁筐体３０１に形成された溝３４０−１、３４０−２…３４０−６の奥側に第１のサイズの電極ピン３１０−１、３１０−２…３１０−６を配置した状態で第２のサイズの電極ピン３２０−１、３２０−２…３２０−６の垂直部３２２によって前記溝３４０−１、３４０−２…３４０−６の前記基端面３３２側が閉塞されるので、重要な回路動作に関わる電極ピンとして第１のサイズの電極ピン３１０−１、３１０−２…３１０−６を用いることにより、絶縁筐体３０１から突出しサブ制御基板用３０と接続する電極ピンの内、重要な回路動作に関わる電極ピンが不正器具により直接アクセスされるのを防止することができる。【選択図】  図６
2007141564.tif 000002
【特許請求の範囲】
【請求項１】
回路基板に固定され、当該回路基板の配線パターンと電気的に接続するとともに、ハーネスの一端に設けられたハーネス側コネクタと結合して前記ハーネスと電気的に接続する基板側コネクタであって、
折曲部によりＬ字状に形成され、当該折曲部より一方の側が前記回路基板の板面に対して垂直方向に延出して前記回路基板と電気的に接続する垂直部になり、前記折曲部より他方の側が前記回路基板の板面に対して平行方向に延出する平行部になる第１のサイズの電極ピンと、
折曲部によりＬ字状に形成され、当該折曲部より一方の側が前記回路基板の板面に対して垂直方向に延出して前記回路基板と電気的に接続する垂直部になり、前記折曲部より他方の側が前記回路基板の板面に対して平行方向に延出する平行部になるとともに、その垂直部及び平行部がそれぞれ前記第１のサイズの電極ピンの垂直部及び平行部より長く形成された第２のサイズの電極ピンと、
絶縁性の素材で形成され、前記ハーネス側コネクタと結合する結合面を有し、当該結合面の反対側に基端面を有し、当該結合面と当該基端面の間に前記回路基板に取り付けられる基板取付面を有し、前記結合面に前記ハーネス側コネクタが挿入される凹部が形成され、前記基端面から前記基板取付面に亘って溝が形成され、当該溝と前記凹部の間を貫通して前記第１及び第２のサイズの電極ピンの平行部がそれぞれ挿入される複数の貫通孔が形成され、前記溝の奥側に前記第１のサイズの電極ピンを配置した状態で前記第２のサイズの電極ピンの垂直部によって前記溝の前記基端面側が閉塞される絶縁筐体とを備えることを特徴とする基板側コネクタ。
【発明の詳細な説明】
【技術分野】
【０００１】
本発明は、パチンコ機やスロットマシン等の遊技機において遊技機の作動を制御する制御基板や電源基板等の回路基板に固定され、当該回路基板の配線パターンと電気的に接続するとともに、ハーネスの一端に設けられたハーネス側コネクタと結合して前記ハーネスと電気的に接続するに基板側コネクタに関するものである。
【背景技術】
【０００２】
従来、スロットマシンには各種の回路基板が搭載されている。このような回路基板としては、遊技の進行等を制御しつつ抽選等を行うメイン制御基板、サウンドの出力や液晶表示ユニットの映像表示等の演出を制御するサブ制御基板、及び電源の供給制御を行う電源制御基板等が挙げられる。
【０００３】
またスロットマシンのメイン制御基板及びサブ制御基板は、正規の基板やＲＯＭを用い、それ以外の基板やＲＯＭの使用を禁止する必要がある。このためメイン制御基板及びサブ制御基板は、開封できないように所定のケースに封入されており、メイン制御基板及びサブ制御基板に装着されているＲＯＭ等を正規以外のものに交換できないようにしている。
【０００４】
また、このようなメイン制御基板及びサブ制御基板の基板間は、ハーネスを介して電気的に接続されている。ハーネスは一端側及び他端側に設けたコネクタによりそれぞれメイン制御基板及びサブ制御基板側のコネクタと結合することから、正規以外の部品が接続されたハーネスと交換されたり、メイン制御基板やサブ制御基板側のコネクタからハーネス側のコネクタが抜き差しされることでメイン制御基板やサブ制御基板における処理動作やメモリの記憶内容が不正にリセットされたりするおそれがあるという問題がある。このことに対応し、例えば特許文献１に記載されているように、ハーネス側の凸コネクタに取り付けられる基体部と、制御基板を収納するケースの内壁面に当接する引き抜き禁止部とを一体形成し、コネクタの引き抜きを禁止する引き抜き制限装置が提案されている。
【０００５】
【特許文献１】特開２００４−２８１３０３号公報
【発明の開示】
【発明が解決しようとする課題】
【０００６】
しかしながら、上述した従来のコネクタの引き抜きを禁止する引き抜き制限装置によれば、コネクタの引き抜きを禁止することができるが、ケースやコネクタに大きな力を加えて変形させることで、ケースとコネクタの間に比較的大きな隙間を発生させることが可能であり、この隙間からケースの内部に器具が挿入されてコネクタの絶縁筐体から突出し回路基板と接続する電極ピンに直接アクセスされ、ＲＯＭのデータが書き換えられる、モードがリセットされる等の不正行為が行われるおそれがある等の問題が生じていた。
【０００７】
本発明は、こうした従来の問題に鑑みてなされたものであり、絶縁筐体から突出し回路基板と接続する電極ピンの内、重要な回路動作に関わる電極ピンが不正器具により直接アクセスされるのを防止する等が可能な遊技機用基板ケースを提供することを目的としている。
【課題を解決するための手段】
【０００８】
上述した課題を解決するため、請求項１に記載の発明は、回路基板に固定され、当該回路基板の配線パターンと電気的に接続するとともに、ハーネスの一端に設けられたハーネス側コネクタと結合して前記ハーネスと電気的に接続する基板側コネクタであって、折曲部によりＬ字状に形成され、当該折曲部より一方の側が前記回路基板の板面に対して垂直方向に延出して前記回路基板と電気的に接続する垂直部になり、前記折曲部より他方の側が前記回路基板の板面に対して平行方向に延出する平行部になる第１のサイズの電極ピンと、折曲部によりＬ字状に形成され、当該折曲部より一方の側が前記回路基板の板面に対して垂直方向に延出して前記回路基板と電気的に接続する垂直部になり、前記折曲部より他方の側が前記回路基板の板面に対して平行方向に延出する平行部になるとともに、その垂直部及び平行部がそれぞれ前記第１のサイズの電極ピンの垂直部及び平行部より長く形成された第２のサイズの電極ピンと、絶縁性の素材で形成され、前記ハーネス側コネクタと結合する結合面を有し、当該結合面の反対側に基端面を有し、当該結合面と当該基端面の間に前記回路基板に取り付けられる基板取付面を有し、前記結合面に前記ハーネス側コネクタが挿入される凹部が形成され、前記基端面から前記基板取付面に亘って溝が形成され、当該溝と前記凹部の間を貫通して前記第１及び第２のサイズの電極ピンの平行部がそれぞれ挿入される複数の貫通孔が形成され、前記溝の奥側に前記第１のサイズの電極ピンを配置した状態で前記第２のサイズの電極ピンの垂直部によって前記溝の前記基端面側が閉塞される絶縁筐体とを備えることを特徴とする。
【０００９】
請求項１に記載の基板側コネクタによれば、絶縁筐体の溝の奥側に第１のサイズの電極ピンを配置した状態で第２のサイズの電極ピンの垂直部によって前記溝の絶縁筐体基端面側が閉塞されるので、重要な回路動作に関わる電極ピンとして第１のサイズの電極ピンを用いることで、絶縁筐体から突出し回路基板と接続する電極ピンの内、重要な回路動作に関わる電極ピンが不正器具により直接アクセスされるのを防止することができる。
【発明の効果】
【００１０】
本発明の基板側コネクタによれば、重要な回路動作に関わる電極ピンが不正器具により直接アクセスされるのを防止することができ、公平な遊技を提供する等を行える。
【発明を実施するための最良の形態】
【００１１】
以下、本発明に係る基板側コネクタの好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００１２】
図１において、スロットマシン１は、略矩形状の箱体である筐体２と、当該筐体２と蝶番機構により開閉可能に取り付けられた前扉３とを備えている。
【００１３】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００１４】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００１５】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００１６】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００１７】
また、パネル面４１には、裏面側に設けられている図示しないランプを点灯させることで例えば入賞役への内部当選など遊技状態に関する情報を演出表示する遊技状態表示部４３と、複数の発光ダイオードを点灯させてドット画像を演出表示するドットマトリクス表示部４４と、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００１８】
上部パネル部４の上部には、高輝度発光ダイオード等のランプ類を内蔵する演出用照明部４６と、ゲームに係る効果音を発生させるスピーカを内蔵する演出用放音部４７ａ、４７ｂが配置されている。
【００１９】
また、演出用放音部４７ａ、４７ｂの間には、透明な硬質プラスチック板等が嵌め込まれて形成された表示窓４８ａに面して遊技機の演出装置として液晶表示装置４８が配置されている。なお、液晶表示装置４８は、ゲームの演出に係る映像やゲーム（遊技）に関する情報を主に表示する。
【００２０】
上部パネル部４の側部には、蛍光灯や高輝度発光ダイオードで形成された演出用照明部４９ａ、４９ｂが設けられている。スロットマシン１は、ゲームの進行に応じて上述した複数の演出用照明部４６、４９ａ、４９ｂ等が点灯又は点滅することで、ゲームにおける視覚的な演出効果を高めるように形成されている。
【００２１】
操作卓７の上面右側には、メダルを投入するためのメダル投入口７１ａを有するメダル投入部７１が設けられている。また、当該上面の左側には、押しボタンスイッチである３個のベットボタン７２、７３、７４が設けられている。
【００２２】
ベットボタン７２、７３、７４はスロットマシンの１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。同様に、ベットボタン７３が押圧操作されることで２枚のメダルが賭けられ、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２３】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２４】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２５】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００２６】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００２７】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯留する受皿部６ａと、演出効果音を発生させるスピーカを内蔵する演出用放音部６２がそれぞれ配置されている。
【００２８】
次に、図２を参照して、筐体２の内部構造と前扉３の裏面構造とを説明する。
図２において、筐体２内の上部には、スロットマシン１の全体動作を集中制御するＣＰＵ（マイコン）を備え硬質プラスチックの基板ケース２１０に収納された主制御基板２０が取り付けられている。
【００２９】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３０】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３１】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００３２】
次に、前扉３の裏面側上部には、演出用照明部４６の光源である高輝度の発光ダイオード３１が複数配列されると共に、上述の演出用放音部４７ａ、４７ｂに対向してスピーカ３２ａ、３２ｂが取り付けられている。また、スピーカ３２ａ、３２ｂの間には、液晶表示装置４８が取り付けられている。さらに液晶表示装置４８の裏面側には、電気回路基板で形成され硬質プラスチックの基板ケース２２０に収納されたサブ制御基板３０が取り付けられている。サブ制御基板３０の一面のスロットマシン左側（図面に向かって右側）には本実施形態の要部となる基板側コネクタ３００が接続されている。
【００３３】
主制御基板２０及びサブ制御基板３０は、スロットマシン１の作動を制御する制御基板である。
【００３４】
なお、スロットマシン１全体の動作は、筐体２側に設けられている主制御基板２０によって統括制御されており、サブ制御基板３０は、液晶表示装置４８による演出映像の表示制御、及びスピーカ３２ａ、３２ｂ、３８を使った演出効果音制御など、ゲームの演出に係る制御を主に行っている。
【００３５】
サブ制御基板３０の下方には、リール１０１ａ、１０１ｂ、１０１ｃを目視させるための透明な表示窓４２が形成されたパネル板が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００３６】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００３７】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２に対向するスピーカ３８が取り付けられている。
【００３８】
次に、図３のブロック図を参照して、スロットマシン１に設けられている制御システムについて説明する。
【００３９】
図３において、主制御基板２０は、ＣＰＵ２００と、記憶部２０１とを備えている。
【００４０】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００４１】
また、記憶部２０１にはメダルクレジット手段２０３が設けられている。メダルクレジット手段２０３はスロットマシン１が内部貯留するメダルの数であるクレジットをメモリに記憶する。
【００４２】
主制御基板２０には、ベットボタン７２、７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板３０等がハーネスで接続されている。
【００４３】
主制御基板２０は、前記操作スイッチ類やメダル選別装置３４のメダルセンサ３４ａからの出力信号によりゲームに係る操作を検出する。
【００４４】
主制御基板２０は、動作モードがメダルベット待機状態となっている場合において、メダルセンサ３４ａがメダルを検出した場合、検出したメダルをゲームの賭数に加算する。
【００４５】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００４６】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００４７】
主制御基板２０は、入賞が確定した場合等において、ホッパ装置２１を制御することで、所定数のメダルを受皿部６ａに払い出す。
【００４８】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００４９】
サブ制御基板３０は、主制御基板２０からの制御信号に基づいて液晶表示装置４８（図１参照）、演出用照明部４６、４９ａ、４９ｂ（図１参照）、演出用放音部４７ａ、４７ｂ、６２（図１参照）等の演出装置２３０を制御駆動することで、遊技者の視覚や聴覚に訴える演出をゲームの進行に応じて行っている。
【００５０】
一方、主制御基板２０の記憶部２０１には、入賞抽選テーブル２０４及び内部抽選フラグ２０５が記憶されている。例えばＣＰＵ２００は、スタートレバー７５の操作を検出した時点で図示しない乱数発生装置から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００５１】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４８等によって行われる。次に、遊技者がメダル投入部７１にメダルを投入し、もしくは、何れかのベットボタン７２、７３、７４を押圧操作することで、スロットマシン１は、内部に貯留したメダル（クレジット）から当該ゲームに所定枚数のメダルが賭けられゲームを準備する。
【００５２】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００５３】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００５４】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００５５】
次に、図４乃至図８を参照して本実施形態の要部となる基板側コネクタについて説明する。
図４はサブ制御基板３０に取り付けられる基板側コネクタ３００及びその周辺部の分解斜視図である。図５は前記ハーネス側コネクタ４０１と結合する結合面寄り３３１から見た基板側コネクタ３００の斜視図である。図６は基端面３３２寄りから見た基板側コネクタ３００の斜視図である。図７は第１及び第２のサイズの電極ピン３１０−１、３２０−１の斜視図である。図８は基板側コネクタ３００及びその周辺部の結合面３３１に向かって左側から見た場合の断面図である。
【００５６】
図４において、基板側コネクタ３００は、回路基板としてのサブ制御基板３０の一面に固定され、サブ制御基板３０がケース本体部材２７１（図８参照）とケース蓋部材２７２（図８参照）による基板ケース２２０（図２及び図８参照）に収納された状態で、サブ制御基板３０に形成された端子挿入孔２５１−１、２５１−２…２５１−６、２６１−１、２６１−２…２６１−６を介して当該サブ制御基板３０の他面に形成された配線パターン２５２−１…２５２−６、２６２−１…２６２−６と電気的に接続するとともに、ハーネス４００の一端に設けられたハーネス側コネクタ４０１と結合して前記ハーネス４００の個々の配線ケーブルと電気的に接続する。
【００５７】
以下、基板側コネクタ３００について更に詳細に説明する。
基板側コネクタ３００は、絶縁筐体３０１に、第１のサイズの電極ピン３１０−１、３１０−２…３１０−６と、第２のサイズの電極ピン３２０−１、３２０−２…３２０−６とを植設したものである。
【００５８】
図５及び図６において、第１のサイズの電極ピン３１０−１、３１０−２…３１０−６は、折曲部３１１によりＬ字状に形成され、当該折曲部３１１より一方の側が前記サブ制御基板３０（図４参照）の板面に対して垂直方向に延出して前記サブ制御基板３０（図４参照）と電気的に接続する垂直部３１２になり、前記折曲部３１１より他方の側が前記サブ制御基板３０（図４参照）の板面に対して平行方向に延出する平行部３１３になっている。
【００５９】
第２のサイズの電極ピン３２０−１、３２０−２…３２０−６は、折曲部３２１によりＬ字状に形成され、当該折曲部３２１より一方の側が前記サブ制御基板３０の板面に対して垂直方向に延出して前記サブ制御基板３０（図４参照）と電気的に接続する垂直部３２２になり、前記折曲部より他方の側が前記サブ制御基板３０（図４参照）の板面に対して平行方向に延出する平行部３２３になっている。
【００６０】
図５乃至図７において、第２のサイズの電極ピン３２０−１、３２０−２…３２０−６の垂直部３２２及び平行部３２３は、それぞれ前記第１のサイズの電極ピン３１０−１、３１０−２…３１０−６の垂直部３１２及び平行部３１３より長く形成されている。
【００６１】
図５及び図６において、絶縁筐体３０１は、合成樹脂等の絶縁性の素材で形成され、前記ハーネス側コネクタ４０１（図４参照）と結合する結合面３３１を有し、この結合面３３１をサブ制御基板３０（図４参照）の側方に向けて配置している。また、絶縁筐体３０１は、当該結合面３３１の反対側に基端面３３２を有し、当該結合面３３１と当該基端面３３２の間に前記サブ制御基板３０（図４参照）に取り付けられる基板取付面３３３を有している。基板取付面３３３の反対側の面は上面３３４になっている。
【００６２】
図４において、前記結合面３３１には、前記ハーネス側コネクタ４０１の突出部４１０−１、４１０−２…４１０−６、４２０−１、４２０−２…４２０−６がそれぞれ挿入される凹部３１４−１、３１４−２…３１４−６、３２４−１、３２４−２…３２４−６が形成されている。
【００６３】
図５において、凹部３１４−１、３１４−２…３１４−６は、開口形状が長方形で、基板取付面３３３に近い列で当該基板取付面３３３に対して平行に並べて形成されている。凹部３２４−１、３２４−２…３２４−６は、開口形状が長方形で、上面３３４に近い列で上面３３４に対して平行に並べて形成されている。
【００６４】
図６において、絶縁筐体３０１には、前記基端面３３２から基板取付面３３３に亘って複数の溝３４０−１、３４０−２…３４０−６が、基板取付面３３３に対して平行に並べられて形成されている。溝３４０−１、３４０−２…３４０−６は、側方から見た断面形状が基端面３３２側が長い辺となる長方形に形成されている。溝３４０−１、３４０−２…３４０−６は、基端面３３２において、上面３３４から所定の間隔Ａ１（図８参照）を置いた位置から基板取付面３３３に到達するまで形成され、基板取付面３３３において、結合面３３１（図８参照）から所定の間隔Ｂ１を置いた位置から基端面３３２に到達するまで形成される。
【００６５】
また、図６において、絶縁筐体３０１は、前記溝３４０−１…３４０−６と前記凹部３１４−１…３１４−６の間を貫通して前記第１のサイズの電極ピン３１０−１…３１０−６の平行部３１３がそれぞれ挿入される複数の貫通孔３１５−１…３１５−６が形成されている。さらに、絶縁筐体３０１は、前記溝３４０−１…３４０−６と前記凹部３２４−１…３２４−６の間を貫通して前記第２のサイズの電極ピン３２０−１…３２０−６の平行部３２３がそれぞれ挿入される複数の貫通孔３２５−１…３２５−６が形成されている。
【００６６】
貫通孔３２５−１…３２５−６は、上面３３４側の内面が前記溝３４０−１…３４０−６の上面３３４側の内面と連続するように形成される。貫通孔３１５−１、３１５−２…３１５−６は貫通孔３２５−１、３２５−２…３２５−６から所定の間隔Ｃ１（図８参照）を置いて基板取付面３３３側に形成される。
【００６７】
図６及び図８において、絶縁筐体３０１は、前記溝３４０−１、３４０−２…３４０−６の奥側に第１のサイズの電極ピン３１０−１、３１０−２…３１０−６を配置した状態で第２のサイズの電極ピン３２０−１、３２０−２…３２０−６の垂直部３２２によって前記溝３４０−１、３４０−２…３４０−６の前記基端面３３２側が閉塞されるようになっている。
【００６８】
第１のサイズの電極ピン３１０−１、３１０−２…３１０−６の垂直部３１２の先端側は、サブ制御基板３０に形成された端子挿入孔２５１−１、２５１−２…２５１−６（図４参照）に挿入され、配線パターン２５２−１、２５２−２…２５２−６（図４参照）と半田２５３…（図８参照）により半田付けされ電気的に接続される。
【００６９】
第２のサイズの電極ピン３２０−１、３２０−２…３２０−６の垂直部３２２の先端側は、サブ制御基板３０に形成された端子挿入孔２６１−１、２６１−２…２６１−６（図４参照）に挿入され、配線パターン２６２−１、２６２−２…２６２−６（図４参照）と半田２６３…（図８参照）により半田付けされ電気的に接続される。
【００７０】
図８において、サブ制御基板３０の配線パターン２５２−１…、２６２−１…が形成された他面は、ケース本体部材２７１により完全に覆われた状態で外部からの接触が完全に禁止されている。ハーネス側コネクタ４０１は、ケース蓋部材２７２の側壁２７３に形成された切欠きによる開口部２７４を介して基板側コネクタ３００と接続している。基板側コネクタ３００は、ハーネス４００の一端に設けられたハーネス側コネクタ４０１と結合した状態で封印シール５００によりハーネス側コネクタ４０１の引き抜きが禁止された状態になっている。
【００７１】
次に、ハーネス側コネクタ４０１について詳細に説明する。
【００７２】
ハーネス側コネクタ４０１は、ジャック絶縁体４０２と複数のジャック端子４１１−１…、４２１−１…とを備えている。
【００７３】
ジャック絶縁体４０２は、突出部４１０−１、４１０−２…４１０−６、４２０−１、４２０−２…４２０−６（図４参照）が形成された結合部４０３とフランジ部４０４とから構成されている。
【００７４】
図４において、ジャック絶縁体４０２の突出部４１０−１、４１０−２…４１０−６、４２０−１、４２０−２…４２０−６は、それぞれ凹部３１４−１、３１４−２…３１４−６、３２４−１、３２４−２…３２４−６に対応した位置に形成されており、凹部３１４−１、３１４−２…３１４−６、３２４−１、３２４−２…３２４−６に挿入されるようになっている。
【００７５】
図８において、突出部４１０−１…、４２０−１…の先端面には、電極ピン挿入口４１２−１…、４２２−１…がそれぞれ設けられている。電極ピン挿入口４１２−１…、４２２−１…は、ハーネス側コネクタ４０１と基板側コネクタ３００が結合する場合に、それぞれ対応する電極ピン３１０−１…、ピン３２０−１…の平行部３１３、３２３が差し込まれるようになっている。
【００７６】
複数の電極ピン挿入口４１２−１…、４２２−１…の内部には、ジャック端子４１１−１…、４２１−１…が植設されている。ジャック端子４１１−１…４２１−１…は、それぞれ電極ピン挿入口４１２−１…、４２２−１…に挿入された電極ピン３１０−１…、３２０−１…の平行部３１３、３２３と電気的に接続する。また、ジャック端子４１１−１…、４２１−１…の基端側はハーネス４００の個々の配線ケーブルと電気的に接続している。ジャック端子４１１−１…４２１−１…とハーネス４００の接続部は、フランジ部４０４によって覆われている。ハーネス４００は、フランジ部４０４に形成された貫通孔４０５を介して外部に延出している。
【００７７】
かかる構成の基板側コネクタ３００によれば、絶縁筐体３０１の溝３４０−１、３４０−２…３４０−６の奥側に第１のサイズの電極ピン３１０−１、３１０−２…３１０−６を配置した状態で第２のサイズの電極ピン３２０−１、３２０−２…３２０−６の垂直部によって前記溝３４０−１、３４０−２…３４０−６の前記基端面３３２側が閉塞されるので、大当たりの演出を行う制御信号等、重要な回路動作に関わる電極ピンとして第１のサイズの電極ピン３１０−１、３１０−２…３１０−６を用いることで、絶縁筐体３０１から突出しサブ制御基板用３０と接続する電極ピンの内、重要な回路動作に関わる電極ピンが不正器具により直接アクセスされるのを防止することができる。
【００７８】
尚、図１乃至図８に示した実施形態では、本発明をサブ制御基板用の基板側コネクタに適用したが、主制御基板等、他の回路基板用の基板側コネクタに適用してもよい。
【産業上の利用可能性】
【００７９】
本発明は、サブ制御基板用の基板側コネクタに限らず、主制御基板等、他の回路基板用の基板側コネクタに応用することができる。
【図面の簡単な説明】
【００８０】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるサブ制御基板３０に取り付けられる基板側コネクタ３００及びその周辺部の分解斜視図である。
【図５】図３は、本発明の一実施形態による前記ハーネス側コネクタと結合する結合面寄りから見た基板側コネクタの斜視図である。
【図６】図６は、本発明の一実施形態による基端面寄りから見た基板側コネクタの斜視図である。
【図７】図７は、本発明の一実施形態による第１及び第２のサイズの電極ピンの斜視図である。
【図８】図８は、本発明の一実施形態による基板側コネクタ及びその周辺部の断面図である。
【符号の説明】
【００８１】
１…スロットマシン、２…筐体、３…前扉、４…上部パネル部、
５…下部パネル部、６…受皿ユニット、６ａ…受皿部、７…操作卓、
１０…遊技機用基板ユニット、１１…組立調節機能付きケース装置、
２０…主制御基板、２１…ホッパ装置、２２…補助貯留部、
２３…主電源装置、２４…電源装置基板、２５…外部集中端子基板、
３０…サブ制御基板、  ３１…発光ダイオード、
３２ａ、３２ｂ…スピーカ、３３…中央表示基板、
３４…メダル選別装置、３５…ガイド部材、３６…ガイド部材、
３７…ガイド部材、３８…スピーカ、
４１…パネル面、４２…表示窓、４３…遊技状態表示部、
４４…ドットマトリクス表示部、４５…数値情報表示部、
４６…演出用照明部、４７ａ、４７ｂ…演出用放音部、
４８ａ…表示窓、４８…液晶表示装置、
４９ａ、４９ｂ…演出用照明部、６１…メダル払出口、
６２…演出用放音部、７１…メダル投入部、
７１ａ…メダル投入口、７２、７３、７４…ベットボタン、
７５…スタートレバー、７６ａ、７６ｂ、７６ｃ…ストップボタン、
７７…精算ボタン、７８…鍵穴、１００…リールユニット、
１０１ａ、１０１ｂ、１０１ｃ…リール、
１２０ａ、１２０ｂ、１２０ｃ…基準位置センサ、
２００…ＣＰＵ、２０１…記憶部、
２０２…システムプログラム、２０３…メダルクレジット手段、
２０４…入賞抽選テーブル、２０５…内部抽選フラグ、
２２０…基板ケース、２３０…演出装置、
２５１−１、２５１−２、２５１−６…端子挿入孔、
２６１−１、２６１−２、２６１−６…端子挿入孔、
２５２−１、２５２−２、２５２−６…配線パターン、
２６２−１、２６２−２、２６２−６…配線パターン、
２５３、２６３…半田、２７１…ケース本体部材、
２７２…ケース蓋部材、２７３…側壁、２７４…開口部、
３００…基板側コネクタ、３０１…絶縁筐体、
３１０−１、３１０−２、３１０−６…第１のサイズの電極ピン、
３１１…折曲部、３１２…垂直部、３１３…平行部、
３１４−１、３１４−２、３１４−６…凹部、
３１５−１、３１５−２、３１５−６…貫通孔、
３２０−１、３２０−２、３２０−６…第２のサイズの電極ピン、
３２１…折曲部、３２２…垂直部、３２３…平行部、
３２４−１、３２４−２、３２４−６…凹部、
３２５−１、３２５−２、３２５−６…貫通孔、
３３１…結合面、３３２…基端面、３３３…基板取付面、
３３４…上面、３４０−１、３４０−２…３４０−６…溝、
４００…ハーネス、４０１…ハーネス側コネクタ、
４０２…ジャック絶縁体、４０３…結合部、
４０４…フランジ部、４０５…貫通孔、
４１０−１、４１０−２…４１０−６…突出部、
４１１−１、４２１−１…ジャック端子、
４１２−１、４２２−１…電極ピン挿入口、
４２０−１、４２０−２、４２０−６…突出部、
５００…封印シール
【図１】
2007141564.tif 000003
【図２】
2007141564.tif 000004
【図３】
2007141564.tif 000005
【図４】
2007141564.tif 000006
【図５】
2007141564.tif 000007
【図６】
2007141564.tif 000008
【図７】
2007141564.tif 000009
【図８】
2007141564.tif 000010